(57)【要約】【課題】複数の太陽電池ユニットを接合してスクリーン部を構成する場合に、スクリーン部にできる限り段差が生じないようにする。【解決手段】シート状に構成されるスクリーン部２と、スクリーン部２を使用状態とスクリーン部２を巻き取って内部に収納する収納状態とに状態変更可能に保持する保持部３とを有するロールスクリーン装置１であって、スクリーン部２は、シート状に構成される複数の太陽電池ユニット５が並設されるとともに、隣り合う太陽電池ユニット５が接合されて構成され、隣り合う太陽電池ユニット５の互いの端部５ａが対向するように配置される状態でこれらの端部５ａ同士を接合する可撓性の接合部材６ａを備える。【選択図】図１
2013124457.tif 000002
【特許請求の範囲】
【請求項１】
シート状に構成されるスクリーン部と、スクリーン部を使用状態とスクリーン部を巻き取って内部に収納する収納状態とに状態変更可能に保持する保持部とを有するロールスクリーン装置であって、
スクリーン部は、シート状に構成される複数の太陽電池ユニットが並設されるとともに、隣り合う太陽電池ユニットが接合されて構成され、
隣り合う太陽電池ユニットの互いの端部同士を接合する可撓性の接合部材を備えることを特徴とするロールスクリーン装置。
【請求項２】
接合部材は、布材により構成される請求項１に記載のロールスクリーン装置。
【請求項３】
接合部材は、隣り合う太陽電池ユニットの互いの端部が対向して所定間隔離間した状態でこれらの端部を接合する請求項１又は２に記載のロールスクリーン装置。
【請求項４】
太陽電池ユニットは、発電素子と、発電素子を封止する封止材とを備え、封止材は、エチレン酢酸ビニル共重合樹脂を含む請求項１から３のいずれか１項に記載のロールスクリーン装置。
【発明の詳細な説明】
【技術分野】
【０００１】
本発明は、スクリーン部に発電機能を備えたロールスクリーン装置に関する。
【背景技術】
【０００２】
従来、壁際や窓際で使用されるロールスクリーン装置は、主として遮光するために用いられるものであったが、近年、そのスクリーンの部分に太陽電池を設けて遮光と発電の両方を行うものが開発されてきた。
【０００３】
例えば、発電機能を備えたロールスクリーン装置は、ロールスクリーン本体（以下「スクリーン部」という）と、スクリーン部を巻き取ることによって、収納可能なカーテンボックスとを備え、このスクリーン部の一方の面にフィルム型太陽電池が貼り付けられ、スクリーン部の反対側の面に、フィルム型蓄電池が貼り付けられている（例えば特許文献１参照）。
【先行技術文献】
【特許文献】
【０００４】
【特許文献１】特開２００８−４２１４２号公報
【発明の概要】
【発明が解決しようとする課題】
【０００５】
上記のような従来のロールスクリーン装置では、スクリーン部にフィルム型太陽電池やフィルム型蓄電池が貼り付けられることから、スクリーン部の厚さが増すとともに、さらに、太陽電池や蓄電池自体の剛性も加わって、スクリーン部は、その剛性が高い状態になってしまっていた。このため、カーテンボックス内にスクリーン部を巻き取る際に、スクリーン部が曲がり難く、巻き取りが困難になっていた。
【０００６】
本発明は、上記の事情に鑑みてなされたものであり、スクリーン部の剛性を部分的に低下させることにより、その巻き取りを容易に行えるようにしたロールスクリーン装置を提供することを課題とする。
【課題を解決するための手段】
【０００７】
本発明は、上記の課題を解決するためのものであって、シート状に構成されるスクリーン部と、スクリーン部を使用状態とスクリーン部を巻き取って内部に収納する収納状態とに状態変更可能に保持する保持部とを有するロールスクリーン装置であって、スクリーン部は、シート状に構成される複数の太陽電池ユニットが並設されるとともに、隣り合う太陽電池ユニットが接合されて構成され、隣り合う太陽電池ユニットの互いの端部同士を接合する可撓性の接合部材を備えることを特徴とする。
【０００８】
かかる構成によれば、太陽電池ユニット同士を接合する接合部材が可撓性を有することによって、複数の太陽電池ユニットが並設されるスクリーン部は、接合部材が設けられている部分の剛性が低下する。これによって、スクリーン部は、この部分が曲がり易くなり、容易に巻き取られるようになる。
【０００９】
また、本発明に係るロールスクリーン装置は、接合部材が、布材により構成されることが望ましい。
【００１０】
かかる構成によれば、接合部材が布材であるので、スクリーン部は、この布材が設けられる部分が曲がり易くなり、容易に巻き取られるようになる。さらに、布材は、通気性に優れているため、太陽電池ユニットから生じる熱等がスクリーン部近傍位置に残留しないようにすることが可能になる。
【００１１】
また、本発明に係るロールスクリーン装置は、接合部材が、隣り合う太陽電池ユニットの互いの端部が対向して所定間隔離間した状態でこれらの端部を接合する構成を採用できる。
【００１２】
かかる構成によれば、太陽電池ユニットの端部同士が当接している場合と比較して、接合部材が設けられている部分の剛性を低下させ、スクリーン部の巻き取りを容易に行うことができる。
【００１３】
また、本発明に係るロールスクリーン装置は、太陽電池ユニットが、発電素子と、発電素子を封止する封止材とを備え、封止材は、エチレン酢酸ビニル共重合樹脂を含むことが望ましい。
【００１４】
かかる構成によれば、スクリーン部の可撓性を適度に確保できるようになる。
【発明の効果】
【００１５】
本発明によれば、スクリーン部の剛性を部分的に低下させることにより、その巻き取りを容易に行えるようになる。
【図面の簡単な説明】
【００１６】
【図１】本発明に係るロールスクリーン装置の正面図である。
【図２】太陽電池ユニットの断面図である。
【図３】図１のＡ−Ａ矢視線の断面図である。
【図４】図１のＢ−Ｂ矢視線の断面図である。
【図５】太陽電池ユニットと接合部材との連結部分の拡大正面図である。
【図６】太陽電池ユニットと接合部材との連結部分の他の例の拡大正面図である。
【図７】保持部の断面図である。
【図８】保持部の断面図である。
【図９】本発明に係るロールスクリーン装置の他の例を示す正面図である。
【発明を実施するための形態】
【００１７】
以下、本発明を実施するための形態を、図面に基づき説明する。図１〜図８は、本発明に係るロールスクリーン装置の一実施形態を示す。
【００１８】
図１に示すように、ロールスクリーン装置１は、主に、シート状に構成されるスクリーン部２と、スクリーン部２を保持する保持部３とを備える。
【００１９】
本実施形態においては、スクリーン部２は、可撓性を有する長方形状のシート体として構成される。スクリーン部２は、その長手方向（鉛直方向）の上端部が保持部３に連結され、下端部にアンカー部４が設けられている。アンカー部４は、筒状に構成されるとともに、重量物からなるウェイトバー（図示せず）が内蔵されており、スクリーン部２を下方に引き降ろす向きに力を加えると共に、スクリーン部２に張力を付与して平面性を高める作用を及ぼしている。ウェイトバーは、鉄、ステンレス、アルミニウム等の金属やプラスチック、ゴム等の樹脂材など適した重量を付与できる重量物から選定することができる。
【００２０】
スクリーン部２は、複数（図１の例では２つ）のシート状の太陽電池ユニット５を並設することによって構成される。
【００２１】
太陽電池ユニット５は、図２に示すように、発電素子７と、発電素子７の発電面（受光面、表面）７ａ側、およびその反対側の裏面７ｂ側を封止する封止材８（８ａ，８ｂ）と、封止材８を介して発電素子７の両面７ａ，７ｂを覆う被覆部９（９ａ，９ｂ）とを有する。
【００２２】
封止材８は、発電素子７の発電能力、柔軟性を保ちつつ絶縁保護する役割を有し、被覆部９は高い耐候性によって紫外線、熱などから発電素子７と封止材８を保護する役割をもつ。
【００２３】
太陽電池ユニット５の発電素子７の裏面７ｂ側を覆う被覆部９ｂの外面には、所定面積のシート状の遮光部材１０と意匠層１１、保護層１２が設けられている。
【００２４】
発電素子７の厚み寸法は、例えば、０．０１ｍｍから１．５ｍｍが望ましく、より望ましくは、０．０２ｍｍ〜０．２ｍｍ程度が良い。発電素子の厚み寸法は、発電素子自体の性能によるものであるが、厚すぎると柔軟性が不足し、薄すぎると耐久性と強度が不足し、巻取りが困難となるので、何れの場合もロールスクリーンには不適当となる。また、太陽電池ユニット５の封止材８としては、例えば、エチレン酢酸ビニル共重合樹脂（ＥＶＡ）、ポリエチレン（ＰＥ）、ポリビニルブチラール(ＰＶＢ)、シリコン樹脂が使用される。封止材８は、ＥＶＡを加熱および加圧するとともにラミネート加工を施すことによって、発電素子７を封止する。
【００２５】
ＥＶＡは、通常、軟化点が６０℃前後で耐熱性が低いので、夏季の高温時等に軟化を起こすことがある。ＥＶＡが軟化すると、発電素子７にずれが生じる不具合や、ホットスポット現象によるセルの破損などの溶融の不具合などが発生し易い。これらの不具合を防止するために、本実施形態では、ＥＶＡに架橋剤を配合し、ラミネート時に１００℃前後で架橋させ、耐熱性を上げている。また、表面側は発電素子７の発電機能を阻害させないため、発電面７ａ側の封止材８は、透明である必要があるが、裏面７ｂ側に関しては、透明でなくても、白、黒等に着色しても良い。
【００２６】
ＥＶＡのＶＡコンテントは２０〜４０％、好ましくは２５〜３５％、より好ましくは２６〜３３％である。封止材８の厚み寸法は、０．０５〜０．７ｍｍ、好ましくは０．１〜０．５ｍｍ、より好ましくは０．２〜０．４ｍｍである。封止材８の厚み寸法は、厚すぎると柔軟性が不足し、薄すぎると耐久性と強度が不足し、巻取りが困難となるので、何れの場合もロールスクリーンには不適当となる。
【００２７】
封止材８および被覆部９は、発電素子７の発電面７ａを覆う部分９ａが透明又は半透明な樹脂によって構成されることが望ましい。これにより、光が被覆部９を透過して発電面７ａに達し、所望の発電を行うことができる。封止材８も同様に透明又は半透明な樹脂によって構成されることが望ましく、ＥＶＡ、ＰＥ、ＰＶＢ、シリコン樹脂などの樹脂を用いることができる。
【００２８】
図２の実施形態においては、遮光部材１０は、接着剤によってスクリーン部２の裏面側の被覆部９ｂに固着されている。このように、被覆部９ｂに遮光部材１０を固着する構成とすることによって、多くの種類の遮光部材を比較的容易に使用することができる。
【００２９】
遮光部材１０の厚み寸法としては、スクリーン部２として求められる遮光性、柔軟性、および耐久性を勘案して決定するが、通常５０μｍ以上８００μｍ以下であることが好ましい。遮光部材１０は、例えば、スクリーン部２の裏面側の被覆部９ｂの全体を覆うことができるように、被覆部９と同じ大きさに構成されることが望ましい。この場合、太陽電池ユニット５による透光性の差が緩和されることとなる。これによって、ロールスクリーン装置１は、室内からスクリーン部２を観る観者に対して、形態や色調について視覚的に安定した印象を与えることができる。
【００３０】
遮光部材１０の基材としては、例えば、不織布、編布、織布を含む繊維質の繊維基材や、樹脂を基材にした樹脂基材等が使用される。遮光部材１０を繊維基材で構成する場合には、例えば、天然繊維、化学繊維、金属、ガラス等の各種の有機または無機の繊維を使用できる。より具体的には、遮光部材１０の繊維基材として、例えば、綿、麻等の天然繊維、ポリプロピレン（ＰＰ）繊維、ポリエステル繊維、ナイロン繊維、アクリル繊維、レーヨン繊維、ポリアミド繊維、ポリ塩化ビニリデン繊維等の合成繊維を単体又は混合して用いることができる。繊維基材としては、耐久性、耐候性、形態安定性、難燃性、腰の強さ等の特性からガラス繊維を用いるのが好ましい。遮光部材１０の基材として繊維基材を用いることにより、風合いに優れ、繊維質による自然な遮光と光の拡散を行うことができるので、視覚的、意匠的に優れた遮光部材１０とすることができる。また、樹脂基材は、層厚や柔軟性、遮光性、拡散性などのパラメータの自由度が高い上、比較的安価に製造することが可能である。
【００３１】
また、遮光部材１０の外面の裏面側に、意匠層１１を設けることによって、室内環境に適した色調、意匠性を付すことができる。意匠層１１は、意匠を有する繊維質のものでも、樹脂材によるものでも、印刷フィルムや着色剤によって形成しても良い。繊維質のものとしては、着色された織糸を熱可塑性合成樹脂によってコーティングしたものを使用でき、織り柄、選色、配色の選定によって、室内環境に適した色調、意匠性を付すことができる。また、樹脂によるものの場合は、意匠を有する樹脂層を設けることにとによって、室内環境に適した色調、意匠性を持たせることができる。好適な樹脂としては、例えば、ポリ塩化ビニル、ポリスチレン、ＰＥ、ＰＰ、ポリエステル、アクリル、ポリカーボネート、ポリメチルメタクリレート、ポリエチレンテレフタレート、トリアセチルセルロース、およびポリフッ化ビニリデン等のプラスチックフィルムを用いることができる。
【００３２】
意匠層１１を保護するために、意匠層１１上に、紫外線硬化樹脂（ＵＶ樹脂）、塩化ビニル樹脂等の透明か有色透明、もしくは、意匠を有する樹脂による保護層１２を形成してもよい。
【００３３】
意匠層１１および保護層１２は、遮光部材１０の外面の裏面側に、ポリエステル系、ポリウレタン系、アクリル系等の接着剤を介して一体に固着して構成したものである。接着剤としては、黄変しないなど耐候性の面から、ポリエステル系接着剤を用いるのが好ましい。
【００３４】
また、スクリーン部２は、隣り合う太陽電池ユニット５の端部５ａ同士を、可撓性を有する接合部材６によって接合することによって構成される。接合部材６には、例えば布材が採用される。布材とは、多数の繊維を薄く広い板状に加工したものをいい、具体的には、織物、編み物（メリヤス生地）、レース、フェルト、不織布などである。布材は、繊維の材質を問わず、たとえば化学繊維、植物繊維、動物繊維などからなる群のうち、少なくとも１つを用いることができる。本実施形態では、スクリーン部２に２つの接合部材６が設けられている。図１に示すように、２つの接合部材６の内、上側のものは、上下２つの太陽電池ユニット５同士を接合している。また、下側に位置する接合部材６は、下側の太陽電池ユニット５とアンカー部４とを接合している。
【００３５】
この場合、接合部材６の厚み寸法は、太陽電池ユニット５の厚み寸法よりも薄いものを用いることが望ましい。接合部材６の厚み寸法は、５０μｍ以上、８００μｍ以下で、１００μｍ以上、６００μｍ以下のものが望ましく、３００μｍ以上、５００μｍ以下のものがさらに望ましい。接合部材６が厚すぎると柔軟性を増す効果や後述する放熱性が低下する虞がある。逆に、薄すぎると十分な強度が得られず、太陽電池ユニット５を保持してロールスクリーンとして機能させることが困難となる。また、隣り合う太陽電池ユニット５と接合部材６との厚み差は、できる限り少ないのが望ましい。
【００３６】
接合部材６によって隣り合う太陽電池ユニット５を離間する間隔（隣り合う太陽電池ユニット５の端部５ａ同士の間隔）は、望ましくは３０ｍｍ以上、５００ｍｍ以下で、より望ましくは１００ｍｍ以上、３００ｍｍ以下である。あまり間隔が狭いと離間させる剛性を緩和させる効果少なくなり、大きすぎると、剛性緩和のために必要以上の間隔となり、太陽電池ユニット５を設置するスペースが少なくなるので好ましく無い。
【００３７】
図３に示すように、接合部材６は、隣り合う太陽電池ユニット５の端部５ａ同士を所定間隔離間させるとともに、これらの端部５ａ同士を対向させた状態で、これらの端部５ａを覆うように設けられる。
【００３８】
なお、上記のような布材からなる接合部材６の材質としては、化学繊維であるポリエステル、アクリル、再生繊維のレーヨン、自然素材の綿等を素材とした織物や不織布等から任意に選択することが可能である。
【００３９】
また、太陽電池ユニット５は、一般的に太陽熱を吸収し、温度が上がることで変換効率が下がるため、この接合部材６の機能として、放熱性又は熱拡散性を付与することが望ましい。これによって、太陽電池ユニット５の発熱を抑制し、変換効率の低下を防止することが可能となる。このための手段としては、例えば、布材（生地）に隙間を設けることで、太陽発電ユニット５の熱を逃がすことが考えられる。尚、布材の隙間とは、布材に形成される微小な貫通孔のことをいう。また、布材に不織布を使用する場合には、その密度を下げて、空気流入性を上げるとよい。不織布の密度は、たとえば１０ｇ／ｍ２以上５００ｇ／ｍ２以下であり、好ましくは２０ｇ／ｍ２以上４００ｇ／ｍ２以下であり、さらに好ましくは４０ｇ／ｍ２以上３５０ｇ／ｍ２以下である。
【００４０】
また、布材として、高い放熱性を有する素材を用いることも効果的である。放熱性の指標である熱伝導率について、高いものから、例えば、カーボンナノチューブ（熱伝導率：３０００〜５５００Ｗｍ-1Ｋ-1） 、銀（熱伝導率：４２０Ｗｍ-1Ｋ-1）、銅（熱伝導率：３９８Ｗｍ-1Ｋ-1）、金（熱伝導率：３２０Ｗｍ-1Ｋ-1）、アルミニウム（熱伝導率：２３６Ｗｍ-1Ｋ-1）、シリコン（熱伝導率：１６８Ｗｍ-1Ｋ-1）、真鍮（熱伝導率：１０６Ｗｍ-1Ｋ-1）、鉄（熱伝導率：８４Ｗｍ-1Ｋ-1）等が挙げられる。このように高い放熱性を有する素材を、布材を構成する繊維に混入させ、又は、布材とした後にその表面に蒸着するなどして一体化したものを用いると高い放熱性を有する布材を得ることができる。
【００４１】
布材について、価格や加工面からは、アルミニウムが一般的に使用され易い材料であるが、シリコン系やグラファイト系の放熱シートを利用しても良い。また、アルミニウムの場合、ポリエステル、ＰＥ、ＰＰ基材等にアルミニウムを蒸着したものやアルミニウムメッシュ等、異素材との複合化や形状を変えたようなものでも良い。
【００４２】
また、図１、図３、図４に示すように、隣り合う太陽電池ユニット同士は、配線３５によって電気的に接続されている。図４に示すように、接合部材６の端部には、配線３５を通すための通路（収納部）１７が形成されている。この通路１７は、接合部材６の端部６ｂが折り返されるとともに、この折り返された端部６ｂを接合部材６の中途部に固定することにより、筒状に構成されている。なお、配線３５の一部は、中空状に構成されるアンカー部４の内部に挿通されている（図１参照）。
【００４３】
このように設けられる布材による接合部材６は、縫合、接着、溶着等の手段によって太陽電池ユニット５に固定される。これにより、隣り合う太陽電池ユニット５同士を連結できる。
【００４４】
例えば、縫合によって接合部材６の端部６ａを太陽電池ユニット５の端部５ａに固定するには、接合部材６の端部６ａと太陽電池ユニット５の端部５ａとを重ね合わせ、この重ね合わされた部分（以下「重合部分」という）１８が縫合される。重合部分１８の幅寸法は、たとえば１０ｍｍ以上５０ｍｍ以下、好ましくは２０ｍｍ以上４０ｍｍ以下である。重合部分１８の幅寸法は、大きすぎるとスクリーン部２の厚み寸法が増加し、小さすぎると縫合処理が困難になる。また、接合部材６の端部６ａは、ミシン等の機械の使用により、太陽電池ユニット５の端部５ａに縫合される。例えば、図５に示すように、接合部材６の端部６ａと太陽電池ユニット５の端部５ａとの重合部分１８は、縫合糸１９による並縫いによって縫合されている。尚、重合部分１８に接着剤を併用することにより、接合部材６の端部６ａがめくれて折り重なり段差が生じ、スクリーン部２の巻取りに不具合が生じる可能性を低減することができる。
【００４５】
また、図６に示すように、縫合糸１９を使用し、いわゆる千鳥縫い（ジグザグ縫い）によって、重合部分１８を縫合してもよい。千鳥縫いのパターンには、２点千鳥、３点千鳥、４点千鳥、スカラップがあるが、中でも４点千鳥による縫合は、強度が高いので本発明にとってより好ましい。４点千鳥はジグザグの折り返し部位だけを縫製するのではなく、ジグザグが描く線の中にさらに２点縫製箇所を有することが特徴である。なお、縫合の方法は、並縫いや千鳥縫いに限定されず、例えば、点線ジグザグ縫い、サテンステッチ（モール縫い）、点線模様縫い、ジグザグ模様縫い、スーパージグザグ模様縫い、二本縫い、ブラインドステッチ、三重縫い、スカラップステッチ、かん止め縫い、などの他の種々の縫合方法を採用してもよい。
【００４６】
また、縫合糸１９には、ミシン糸、例えばポリエステルスパン糸を使用することが好ましい。ポリエステルスパン糸の太さは２０番手〜６０番手（０．３ｍｍ〜０．１５ｍｍ）のものを使用でき、より好ましくは、３０番手〜５０番手（０．２１ｍｍ〜０．１９ｍｍ）のものが良い。縫合糸１９は、太さが上記の範囲よりも大きいと、接合部の縫製部位が過度に目立つ恐れがあり、上記の範囲よりも小さいと糸自体の強度が不十分になり得る。
【００４７】
縫合糸１９の素材には、ポリエステル以上の強度を持ち合わせた絶縁性の高機能繊維を使用することがより好ましい。具体的には、例えば、メタ型アラミド繊維、超高強力ＰＥ繊維、ポリアリレート繊維、ポリパラフェニレンベンゾビスオキサゾール（ＰＢＯ）繊維、ポリフェニレンサルファイド（ＰＰＳ）繊維などが挙げられる。メタ型アラミド繊維の強度（ｋｇ／ｍｍ2）は５０〜８５、超高強力ＰＥ繊維の強度は２２０〜４８０、ポリアリレート繊維の強度は２９０〜４１０、ＰＢＯ繊維の強度は５８０、ＰＰＳ繊維の強度は５４〜６６である。
【００４８】
図７は、保持部３の内部構造を概略図示する部分断面図である。保持部３は、スクリーン部２を使用状態と収納状態とに状態の変更が可能に保持する機構を有する。より具体的には、保持部３は、一般的にカーテンボックスと呼ばれる収納部材の内部に所定の空間を有して配置される保持部本体１３と、スクリーン部２を巻き取る巻き取り機構１４とを有する。
【００４９】
保持部本体１３は、その下端部に開口部１３ａを有し、開口部１３ａからスクリーン部２を出し入れすることができるように構成される。また、保持部本体１３は、その外面上部に、建物の天井や壁部に簡易に取り付け可能な取付部材１５を有する。取付部材１５は掛止孔１６を有しており、掛止孔１６にフックや突起部を挿通することによって、保持部本体１３は、建物の天井材、窓枠、梁および壁面等に固定される。
【００５０】
巻き取り機構１４は、保持部本体１３の内面に固定されるセットフレームと呼ばれる長尺状のフレーム２１と、フレーム２１の長手方向の各端部から下方に突出する２つのサイドプレート２２と、２つのサイドプレート２２の間に固定される支持軸２３と、支持軸２３に回転可能に支持される巻き取りパイプ２４と、巻き取りパイプ２４の回転のロックおよびロック解除を行うロック手段２５と、巻き取りパイプ２４の巻き取り操作を行うための操作部材２６とを有する。
【００５１】
図８は、保持部本体１３の概略構成を示す横断面図である。図８に示すように、巻き取りパイプ２４に設けられた嵌合溝２４ａには、スクリーン部２の一端部２Ａが係止部材３４によって固定されている。この巻き取りパイプ２４は、その内部に支持軸２３が挿通された状態で、この支持軸２３まわりに回転可能に支持されている。巻き取りパイプ２４は、所定の回転方向に回転することで、その外面にスクリーン部２を巻き取ることができる。
【００５２】
図８に示すように、巻き取りパイプ２４の長手方向（軸心方向）のほぼ中央部には、コイルスプリング３３が設けられている。コイルスプリング３３は、その内側に支持軸２３が挿通されるとともにその一端部が巻き取りパイプ２４に固定され、その他端部が支持軸２３に固定されている。巻き取りパイプ２４はこのコイルスプリング３３によって、常時、スクリーン部２を巻き取る回転方向に付勢されている。
【００５３】
ロック手段２５は、図７、図８に示すように、巻き取りパイプ２４の長手方向の両端部の内側に設けられている。このロック手段２５は、クラッチスプリング２７と、このクラッチスプリング２７を覆うように設けられるストッパケース２８とを有する。
【００５４】
クラッチスプリング２７は、巻き取りパイプ２４がスクリーン部２を保持部本体１３外に送り出すような回転を許容するように構成される。また、このクラッチスプリング２６は、通常状態では、巻き取りパイプ２４がスクリーン部２を巻き取る方向への回転が規制され、操作部材２６の操作時に規制が解除されるように構成されている。
【００５５】
操作部材２６は、本実施形態では環状チェーンが採用される。より具体的には、環状チェーンは、環状の紐体に所定間隔をおいて複数の球体を固定した構造を有する。操作部材２６は、巻き取りパイプ２４の一端部の外周面に設けられたスプロケット２９に巻回されている。操作部材２６は、その球体がスプロケット２９の歯の間の凹部３０に係合することにより、スプロケット２９を介して巻き取りパイプ２４を回転操作することができる。
【００５６】
上記のような保持部３の構成により、スクリーン部２の下端部に設けられるアンカー部４を引っ張ることによって、保持部３から引き出して手を離すと、ロック手段２５によって巻き取りパイプ２４の回転が規制され、スクリーン部２が保持部３から露出した状態で保持される。このとき、スクリーン部２の引き出しによって、コイルスプリング３３にスクリーン部２を引き上げる方向の力が蓄力される。尚、操作者による、スクリーン部２の引き下げ操作を容易にするために、アンカー部４の下部に、プルコードないしは、引き手を設けても良い。
【００５７】
このようにスクリーン部２が保持部３から引き出されて保持される状態をスクリーン部２の使用状態と呼ぶ。この使用状態では、操作部材２６の操作により、スクリーン部２をその中途部まで露出させたり、又は、スクリーン部２のほぼ全てを保持部３から引き出して露出させたりして使用することができる。
【００５８】
操作部材２６の操作により、ロック手段２５によるスクリーン部２のロックが解除され、操作部材２６の操作による回転力とコイルスプリング３３の蓄力によって、巻き取りパイプ２４が回転し、スクリーン部２が巻き取られる。スクリーン部２の巻き取りが完了すると、保持部３から露出されていたスクリーン部２が保持部３内に収納される。
【００５９】
また、コイルスプリング３３の蓄力を大きくすることによって、操作部材２６を略することも可能である。その場合は、使用状態にあるスクリーン部２を下方に若干引き下げると、ロック手段２５によるスクリーン部２のロックが解除されるように構成し、巻き取りパイプ２４を付勢する前記コイルスプリング３３の作用のみによって巻き取りパイプ２４がスクリーン部２を完全に巻き取るようにする。このように構成することによって、操作部材２６による巻き上げ動作なしで保持部３から露出されていたスクリーン部２が保持部３内に収納することができる。
【００６０】
このようにスクリーン部２が保持部３内に収納された状態を収納状態と呼ぶ。ロールスクリーン装置１は、上記の収納方法の他に、操作部材２６を操作することによっても、スクリーン部２を収納状態にすることができる。
【００６１】
以上説明した本発明に係るロールスクリーン装置１によれば、太陽電池ユニット５同士を接合する接合部材６が可撓性を有することによって、スクリーン部２は、接合部材６が設けられている部分の剛性が低下する。これによって、スクリーン部２は、この部分が曲がり易くなり、保持部３に容易に巻き取られるようになる。
【００６２】
また、接合部材６に布材を採用することにより、スクリーン部２は、この布材が設けられる部分が曲がり易くなり、容易に巻き取られるようになる。さらに、布材は、通気性に優れているため、太陽電池ユニットから生じる熱がスクリーン部近傍位置に残らないように速やかに排出することが可能になる。
【００６３】
また、接合部材６が、隣り合う太陽電池ユニット５の互いの端部５ａが対向するとともに所定間隔離間された状態でこれらの端部５ａを接合することから、スクリーン部２は、太陽電池ユニット５の端部５ａ同士が当接している場合と比較して、接合部材６が設けられている部分の剛性を低下させ、保持部３によるスクリーン部２の巻き取りを容易に行うことができるようになる。
【００６４】
また、本発明に係るロールスクリーン装置１は、太陽電池ユニット５の封止材８としてＥＶＡを採用することにより、スクリーン部２の柔軟性、可撓性等の機能を最適にできる。封止材８にＥＶＡを用いる構成にすることよって、例えば、封止材８にＰＥを用いる構成に比べて、柔軟性および可撓性の高いスクリーン部２を形成することができる。したがって、ロールスクリーン装置１は、スクリーン部２の保持部３への収納をさらに容易に行うことができる。
【００６５】
なお、本発明は上記の実施形態に限らず、種々の変更・変形が可能である。
【００６６】
例えば、前述した各実施形態では、複数のシート状の太陽電池ユニット５がスクリーン部２の長手方向に並設される構成であるけれども、他の実施形態では、太陽電池ユニット５がスクリーン部２の長手方向とは異なる方向、たとえば水平方向などに並設される構成であってもよい。これによって、ロールスクリーン装置１は、スクリーン部２の表面の段差を可及的に小さくしつつ、太陽電池ユニット５の配置の自由度を高めることができる。
【００６７】
また上記の実施形態では、２つの太陽電池ユニット５と２つの接合部材６によってスクリーン部２を構成した例を示したが、図９に示すように、３つの太陽電池ユニット５と３つの接合部材６によってスクリーン部２を構成してもよい。本発明はこれらに限定されず、３つ以上の太陽電池ユニット５、及び３つ以上の接合部材６によってスクリーン部２を構成することが可能である。
【００６８】
また、太陽電池ユニット５の封止材８として、ＥＶＡを採用した例を示したが、これに限定されず、他の材料、たとえばＰＥ、エチレンにαオレフィンが共重合したエチレン−アクリル酸メチル共重合体（ＥＭＡ）、エチレン-メタクリル酸共重合体（ＥＭＭＡ）、ＥＭＭＡが金属架橋したアイオノマー樹脂などを封止材として使用してもよい。
【００６９】
また、上記の実施形態では、隣り合う太陽電池ユニット５の端部５ａ同士を離間させ、これらの端部同士を接合部材６で接合した例を示したが、これに限らず、例えば、隣り合う太陽電池ユニット５の端部５ａ同士を対向させるとともにこれらを互いに当接させた上で、その外面側から当接箇所を覆うように接合部材６を設けるようにしてもよい。これによって、ロールスクリーン装置１は、隣り合う太陽電池ユニット５の端部５ａ同士を当接させて融着などによって直接接合する構成に比べて、隣り合う太陽電池ユニット５の端部５ａ同士が直接固定されず摺動可能なので、スクリーン部２の剛性を低下させ、可撓性を高めることができる。
【符号の説明】
【００７０】
１…ロールスクリーン装置、２…スクリーン部、３…保持部、４…アンカー部、５…太陽電池ユニット、５ａ…端部、６…接合部材、６ａ…端部、６ｂ…端部、７…発電素子、７ａ…発電面、７ｂ…裏面、８…封止材（８ａ，８ｂ）、９（９ａ，９ｂ）…被覆部、１０…遮光部材、１１…意匠層、１２…保護層、１３…保持部本体、１４…巻き取り機構、１５…取付部、１６…掛止孔、１７…通路、１８…重合部分、１９…縫合糸、２１…フレーム、２２…サイドプレート、２３…支持軸、２４…巻き取りパイプ、２４ａ…嵌合溝、２５…ロック手段、２６…操作部材、２７…クラッチスプリング、２８…ストッパケース、２９…巻き取り部、３０…凹部、３３…コイルスプリング、３４…係止部材、３５…配線
【図１】
2013124457.tif 000003
【図２】
2013124457.tif 000004
【図３】
2013124457.tif 000005
【図４】
2013124457.tif 000006
【図５】
2013124457.tif 000007
【図６】
2013124457.tif 000008
【図７】
2013124457.tif 000009
【図８】
2013124457.tif 000010
【図９】
2013124457.tif 000011